(57)【要約】【課題】本発明は、有機半導体層を高精度で簡易的にパターニングすることが可能であり、有機半導体トランジスタを有する有機半導体素子を高い生産性で製造可能な有機半導体素子の製造方法を提供することを主目的とする。【解決手段】本発明は、基板を用い、上記基板上に有機半導体材料からなる有機半導体層を形成する有機半導体層形成工程と、上記有機半導体層上に、真空紫外光に対する遮光性を有するパッシベーション層をパターン状に形成するパッシベーション層形成工程と、真空紫外光を上記パッシベーション層および上記有機半導体層上に照射することにより、上記パッシベーション層が形成されていない部位の有機半導体層をエッチングする有機半導体層パターニング工程と、を含む有機半導体トランジスタ形成工程を有することを特徴とする、有機半導体素子の製造方法を提供することにより、上記課題を解決するものである。【選択図】図１
2008084940.tif 000002
【特許請求の範囲】
【請求項１】
基板を用い、前記基板上に有機半導体材料からなる有機半導体層を形成する、有機半導体層形成工程と、
前記有機半導体層上に、真空紫外光に対する遮光性を有するパッシベーション層をパターン状に形成するパッシベーション層形成工程と、
真空紫外光を前記パッシベーション層および前記有機半導体層上に照射することにより、前記パッシベーション層が形成されていない部位の有機半導体層をエッチングする有機半導体層パターニング工程と、を含む有機半導体トランジスタ形成工程を有することを特徴とする、有機半導体素子の製造方法。
【請求項２】
前記真空紫外光の波長が１０ｎｍ〜２００ｎｍの範囲内であることを特徴とする、請求項１に記載の有機半導体素子の製造方法。
【請求項３】
前記パッシベーション層が、前記真空紫外光に対する遮光性を有する遮光性樹脂材料からなることを特徴とする、請求項１または請求項２に記載の有機半導体素子の製造方法。
【発明の詳細な説明】
【技術分野】
【０００１】
本発明は、有機半導体トランジスタが用いられた有機半導体素子の製造方法に関するものである。
【背景技術】
【０００２】
ＴＦＴに代表される半導体トランジスタは、近年、ディスプレイ装置の発展に伴ってその用途を拡大する傾向にある。このような半導体トランジスタは、半導体材料を介して電極が接続されていることにより、スイッチング素子としての機能を果たすものである。
【０００３】
従来、上記半導体トランジスタに用いられる半導体材料としては、シリコン（Ｓｉ）やガリウム砒素（ＧａＡｓ）やインジウムガリウム砒素（ＩｎＧａＡｓ）などの無機半導体材料が用いられてきた。近年、普及が拡大している液晶表示素子のディスプレイ用ＴＦＴアレイ基板にもこのような無機半導体材料を用いた半導体トランジスタが用いられている。
【０００４】
一方、上記半導体材料としては、有機化合物からなる有機半導体材料も知られている。有機半導体材料は、上記無機半導体材料に比べて安価に大面積化が可能であり、フレキシブルなプラスチック基板上に形成でき、さらに機械的衝撃に対して安定であるという利点を有することから、電子ペーパー代表されるフレキシブルディスプレイ等の次世代ディスプレイ装置への応用などを想定した研究が活発に行われている。
【０００５】
ここで、近年の薄型ディスプレイ装置の急速な普及や大型化に伴って、有機半導体材料が用いられた有機半導体素子には、工業的生産工程において高生産性で量産可能であることが求められているところ、有機半導体材料を用いた有機半導体トランジスタは、従来の無機半導体材料が用いられたものと比較して高生産性で製造可能な方法がまだ確立されていない状況にある。これは、多くの有機半導体材料に共通する特性に起因している。
すなわち、上記有機半導体材料は、加熱状態で成膜されることにより優れた半導体特性を発現するという性質を有するため、上記有機半導体材料を用いた半導体トランジスタを製造するに際しては、上記有機半導体材料からなる層を形成した後、これをパターニングする方法を用いることが必要となる。
ここで、上記有機半導体材料からなる層をパターニングする方法としては、一般的に、フォトレジストを用いるフォトレジスト法が用いられているが（例えば、特許文献１）、このようなフォトレジスト法は、有機半導体材料からなる層を所望のパターンに精度よくパターニングできる点においては優れているが、工程が煩雑であるため生産性に乏しいという問題点がある。
【０００６】
このようなことから、上記有機半導体が用いられた有機半導体素子は、その有用性が認知されていながらも、工業的に高効率で製造することができないという問題点があった。
【０００７】
【特許文献１】特開２００６−５８４９７号公報
【発明の開示】
【発明が解決しようとする課題】
【０００８】
本発明はこのような問題点に鑑みてなされたものであり、有機半導体層を高精度で簡易的にパターニングすることが可能であり、有機半導体トランジスタを有する有機半導体素子を高い生産性で製造可能な有機半導体素子の製造方法を提供することを主目的とするものである。
【課題を解決するための手段】
【０００９】
上記課題を解決するために、本発明は、基板を用い、上記基板上に有機半導体材料からなる有機半導体層を形成する有機半導体層形成工程と、上記有機半導体層上に、真空紫外光に対する遮光性を有するパッシベーション層をパターン状に形成するパッシベーション層形成工程と、真空紫外光を上記パッシベーション層および上記有機半導体層上に照射することにより、上記パッシベーション層が形成されていない部位の有機半導体層をエッチングする有機半導体層パターニング工程と、を含む有機半導体トランジスタ形成工程を有することを特徴とする、有機半導体素子の製造方法を提供する。
【００１０】
本発明によれば、上記パッシベーション層形成工程によって形成されるパッシベーション層が、真空紫外光に対する遮光性を有するものであり、かつ、上記有機半導体層パターニング工程が、上記有機半導体層および上記パッシベーション層上に真空紫外光を照射することによって、上記有機半導体層をパターニングするものであることにより、上記有機半導体層パターニング工程においては、上記パッシベーション層が真空紫外光を遮光するマスクとしての機能を果たし、上記パッシベーション層が形成されていない部位のみの有機半導体層を除去してパターニングすることができる。このため、本発明によれば上記有機半導体層パターニング工程において、単に真空紫外光を照射するのみで簡易的に有機半導体層を高精度でパターニングすることが可能となる。
このようなことから、本発明によれば、有機半導体層を高精度で簡易的にパターニングすることが可能であり、有機半導体トランジスタを有する有機半導体素子を高い生産性で製造することができる。
【００１１】
本発明においては、上記真空紫外光の波長が１０ｎｍ〜２００ｎｍの範囲内であることが好ましい。このような波長範囲の真空紫外光を照射することにより、上記有機半導体層パターニング工程において、上記有機半導体層を短時間でパターニングすることが可能になるからである。
【００１２】
また、本発明においては、上記パッシベーション層が上記真空紫外光に対する遮光性を有する遮光性樹脂材料からなることが好ましい。これにより、上記パッシベーション層形成工程において、上記真空紫外光に対する遮光性に優れたパッシベーション層を形成することが容易になるからである。
【発明の効果】
【００１３】
本発明の有機半導体素子の製造方法は、有機半導体層を高精度で簡易的にパターニングすることが可能であり、有機半導体トランジスタを有する有機半導体素子を高い生産性で製造できるという効果を奏する。
【発明を実施するための最良の形態】
【００１４】
以下、本発明の有機半導体素子の製造方法について詳細に説明する。
【００１５】
本発明の有機半導体素子の製造方法は、基板を用い、上記基板上に有機半導体材料からなる有機半導体層を形成する有機半導体層形成工程と、上記有機半導体層上に、真空紫外光に対する遮光性を有するパッシベーション層をパターン状に形成するパッシベーション層形成工程と、真空紫外光を上記パッシベーション層および上記有機半導体層上に照射することにより、上記パッシベーション層が形成されていない部位の有機半導体層をエッチングする有機半導体層パターニング工程と、を含む有機半導体トランジスタ形成工程を有することを特徴とするものである。
【００１６】
このような本発明の有機半導体素子の製造方法について図を参照しながら説明する。図１は本発明の有機半導体素子の製造方法の一例を示す概略図である。図１に例示するように、本発明の有機半導体素子の製造方法は、基板１０を用い（図１（ａ））、上記基板１０上に有機半導体材料からなる有機半導体層２１’を形成する有機半導体層形成工程（図１（ｂ））と、上記有機半導体層２１’上に、真空紫外光に対する遮光性を有するパッシベーション層２２をパターン状に形成するパッシベーション層形成工程（図１（ｃ））と、真空紫外光を上記パッシベーション層２２および上記有機半導体層２１’上に照射することにより、上記パッシベーション層２２が形成されていない部位の有機半導体層２１’をエッチングする有機半導体層パターニング工程（図１（ｄ））と、を含む有機半導体トランジスタ形成工程を有し、上記基板１０上に、有機半導体層２１上にパッシベーション層２２が積層された構成を有する有機半導体トランジスタ２０が形成された有機半導体素子１を製造するものである（図１（ｅ））。
【００１７】
本発明によれば、上記パッシベーション層形成工程によって形成されるパッシベーション層が、真空紫外光に対する遮光性を有するものであり、かつ、上記有機半導体層パターニング工程が、上記有機半導体層および上記パッシベーション層上に真空紫外光を照射することによって、上記有機半導体層をパターニングするものであることにより、上記有機半導体層パターニング工程においては、上記パッシベーション層が真空紫外光を遮光するマスクとしての機能を果たし、上記パッシベーション層が形成されていない部位のみの有機半導体層を除去してパターニングすることができる。このため、本発明によれば上記有機半導体層パターニング工程において、単に真空紫外光を照射するのみで簡易的に有機半導体層を高精度でパターニングすることが可能となる。
このようなことから、本発明によれば、有機半導体層を高精度で簡易的にパターニングすることが可能であり、有機半導体トランジスタを有する有機半導体素子を高い生産性で製造することができる。
【００１８】
従来、有機半導体材料が用いられた有機半導体トランジスタを作製するに際に、有機半導体材料からなる層をパターニングする方法としては、フォトリソグラフィー法が一般的に用いられてきた。しかしながら、フォトリソグラフィー法は、工程が煩雑であるため、生産性に乏しいという問題点があった。
この点、本発明によれば、上記パッシベーション層形成工程において形成されるパッシベーション層を真空紫外光に対する遮光性を有するものにすることにより、上記有機半導体層パターニング工程において、フォトマスクを用いたり、フォトレジストを用いることなく、単に光源から真空紫外光を照射するのみで、上記有機半導体層をパターニングすることができる。このため、本発明によれば高生産性で有機半導体素子を製造することができる。
【００１９】
本発明の有機半導体素子の製造方法は、少なくとも上記有機半導体層形成工程、パッシベーション層形成工程、および、有機半導体層パターニング工程とを含む有機半導体トランジスタ形成工程を有するものであり、必要に応じて他の工程を有してもよいものである。
以下、本発明の有機半導体素子の製造方法に用いられる各工程について順に説明する。
【００２０】
１．有機半導体トランジスタ形成工程
まず、本発明に用いられる有機半導体トランジスタ形成工程について説明する。本工程は、基板を用い、上記基板上に有機半導体材料からなる有機半導体層を形成する有機半導体層形成工程と、上記有機半導体層上に、真空紫外光に対する遮光性を有するパッシベーション層をパターン状に形成するパッシベーション層形成工程と、真空紫外光を上記パッシベーション層および上記有機半導体層上に照射することにより、上記パッシベーション層が形成されていない部位の有機半導体層をエッチングする有機半導体層パターニング工程と、を含むものである。本発明の有機半導体素子の製造方法はこのような有機半導体トランジスタ形成工程を有することにより、高生産性で有機半導体素子を製造することができるのである。
【００２１】
以下、本工程に用いられる、有機半導体層形成工程、パッシベーション層形成工程、有機半導体層パターニング工程、および、その他の工程について順に説明する。
【００２２】
（１）パッシベーション層形成工程
まず、本工程に用いられるパッシベーション層形成工程について説明する。本工程は、後述する有機半導体層形成工程によって形成される有機半導体層上に、後述する有機半導体層パターニング工程に用いられる真空紫外光に対して遮光性を有するパッシベーション層をパターン状に形成する工程である。また、本工程によって形成されるパッシベーション層は、後述する有機半導体層パターニング工程において、真空紫外光を用いて有機半導体層をパターニングする際に、有機半導体層をパターン状にエッチングするためのマスクとしての機能と、本発明により製造される有機半導体素子において、有機半導体トランジスタのトランジスタ特性が経時で劣化することを防止する保護機能を有するものである。
【００２３】
ａ．パッシベーション層の形成方法
本工程において、パッシベーション層を形成する方法としては、後述する有機半導体層パターニング工程に用いられる真空紫外光に対して所望の遮光性を有し、かつ、有機半導体トランジスタの保護機能を有するパッシベーション層を形成できる方法であれば特に限定されるものではない。なかでも、本工程においては上記遮光性および保護機能を備えるパッシベーション層形成材料が溶媒に溶解されたパッシベーション層形成用塗工液を、上記有機半導体層上にパターン状に塗工する方法を用いることが好ましい。このような方法によれば簡略された工程で上記パッシベーション層を形成することが可能だからである。
【００２４】
上記パッシベーション層形成用塗工液に用いられるパッシベーション層形成材料としては、上記遮光性と上記保護機能とを備えるパッシベーション層を形成できるものであれば特に限定されるものではない。このようなパッシベーション層形成材料としては、上記真空紫外光に対する遮光性と、上記保護機能とを有する遮光性樹脂材料、および、上記保護機能を有する樹脂材料と上記遮光性を有する遮光剤とが混合されたものを挙げることができる。本工程においては、このようなパッシベーション層形成材料のいずれであっても好適に用いることができるが、なかでも上記遮光性樹脂材料を用いることが好ましい。上記遮光性樹脂材料は、単独で上記遮光性と上記保護機能とを備えるパッシベーション層を形成することができるため、製造コストの面において有利だからである。また、上記遮光性樹脂材料を用いることにより、本工程において、真空紫外光に対する遮光性に優れたパッシベーション層を形成することが容易になるからである。
【００２５】
本工程に用いられる上記遮光性樹脂材料としては、上記パッシベーション層形成用塗工液に用いられる溶媒に所望の濃度で溶解可能なものであれば特に限定されるものではない。このような遮光性樹脂材料としては、例えば、ＰＶＰ、ＰＶＡ、ＰＭＭＡ、ＰＳ、ポリエチレンオキサイド（ＰＥＯ）、水系エポキシ樹脂、エポキシ樹脂、アクリル樹脂、ポリイミド、および、カルド系樹脂等を挙げることができる。
【００２６】
なお、本工程においては、上記遮光性樹脂材料を１種類のみ用いてもよく、または、２種類以上を混合して用いてもよい。
【００２７】
一方、上記パッシベーション層形成用塗工液に用いられる溶媒としては、上記パッシベーション層形成材料を所望濃度で溶解することができ、かつ、上記有機半導体層を構成する有機半導体材料を溶解しにくいものであれば特に限定されるものではなく、上記パッシベーション層形成材料や、上記有機半導体層を構成する有機半導体材料の種類等に応じて適宜選択して用いればよい。このような溶媒のとしては、例えば、エタノール、プロパノール、ブタノール、ペンタノール、ヘキサノール、イソプロピルアルコール、ＰＧＭＥＡ、および、水等を挙げることができる。
【００２８】
なお、本工程においては、これらの溶媒を単独で用いてもよく、あるいは、２種類以上を混合して用いてもよい。
【００２９】
また、上記パッシベーション層形成用塗工液の固形分濃度としては、上記パッシベーション層形成用塗工液を上記有機半導体層上に塗工する塗布方法に応じて、上記パッシベーション層形成用塗工液の溶液粘度や、表面張力等を所望の範囲内にすることができる範囲であれば特に限定されるものではない。なかでも本工程においては５質量％〜３０質量％の範囲内であることが好ましい。
【００３０】
上記パッシベーション層形成用塗工液を上記有機半導体層上に塗工することにより、パッシベーション層を形成する方法としては、所望のパターン状にパッシベーション層を形成できる方法であれば特に限定されるものではない。このような方法としては、印刷法を用い、上記有機半導体層上に上記パッシベーション層形成用塗工液をパターン状に印刷する方法（第１の方法）と、上記パッシベーション層形成用塗工液を上記有機半導体層上の全面に塗工することにより、パターニングされていないパッシベーション層を形成した後、当該パッシベーション層をリソグラフィー法等によってパターニングする方法（第２の方法）とを挙げることができる。
本工程においては、上記第１の方法および上記第２の方法のいずれの方法であっても好適に用いることができるが、なかでも上記第１の方法を用いることが好ましい。上記第２の方法は、パターニングされたパッシベーション層を形成するのに、パターニングされていないパッシベーション層を形成する工程と、当該パッシベーション層をパターニングする工程との２工程を必要とするのに対し、上記第１の方法は１工程で直接的にパターニングされたパッシベーション層を形成することが可能になるため、本工程を簡略化することができるからである。
【００３１】
上記第１の方法に用いられる印刷法としては、上記パッシベーション層形成用塗工液を所望のパターンに印刷できる方法であれば特に限定されるものではない。このような印刷方法としては、インクジェット法、スクリーン印刷法、パッド印刷法、フレキソ印刷法、マイクロコンタクトプリンティング法、グラビア印刷法、オフセット印刷法、およびグラビア・オフセット印刷法等を挙げることができる。なかでも本工程においてはスクリーン印刷法を用いることが好ましい。スクリーン印刷法を用いることにより本工程において、高精細なパターン状のパッシベーション層を形成することが可能になるからである。
【００３２】
ｂ．パッシベーション層
本工程により形成されるパッシベーション層は、上述した有機半導体トランジスタの保護機能と、後述する有機半導体パターニング工程に用いられる真空紫外光に対する遮光性を有するものとなるが、ここで、上記遮光性の程度としては本工程においてパッシベーション層が形成された部位の有機半導体層が、後述する有機半導体層パターニング工程において劣化されない程度であれば特に限定されるものではない。したがって、上記遮光性の程度については、後述する有機半導体層パターニング工程において用いられる真空紫外光の波長に応じて適宜決定すればよい。なかでも本工程によって形成されるパッシベーション層は、後述する有機半導体層パターニング工程に用いられる真空紫外光の透過率が１０％以下であることが好ましく、特に３％以下であることが好ましく、さらには１％以下であることが好ましい。上記真空紫外光に対する透過率が上記範囲内であることにより、後述する有機半導体層パターニング工程に用いられる真空紫外光の波長に関わらず、後述する有機半導体層パターニング工程において有機半導体層が劣化することを防止できるからである。
【００３３】
また、本工程において形成されるパッシベーション層の厚みとしては、後述する有機半導体層形成用パターニング工程に用いられる真空紫外光に対して所定の遮光性、および、有機半導体トランジスタの保護機能を所望の程度にできる範囲内であれば特に限定されるものではない。なかでも本工程においては、１００μｍ以下であることが好ましく、特に０．１μｍ〜１０μｍの範囲内であることが好ましく、さらには０．３μｍ〜１μｍの範囲内であることが好ましい。
【００３４】
（２）有機半導体層パターニング工程
次に、本工程に用いられる有機半導体層パターニング工程について説明する。本工程は、後述する有機半導体層形成工程によって形成された有機半導体層および上記パッシベーション層形成工程によって形成されたパッシベーション層上に真空紫外光を照射することにより、上記パッシベーション層が形成されていない部位の有機半導体層をエッチングする工程である。
【００３５】
本工程においては、上記パッシベーション層が本工程に用いられる真空紫外光のマスクとしての機能を果たすため、単に真空紫外光を照射することによって容易に有機半導体層をパターニングすることができる。
【００３６】
なお、本工程においては、上記パッシベーション層をマスクとして用いてパターニングするため、本工程においてパターニングされる有機半導体層のパターンは、上記パッシベーション層が形成されているパターンと同一になる。
【００３７】
上述したように、本工程においては、真空紫外光を上記パッシベーション層および上記有機半導体層上に照射することによって、上記パッシベーション層が形成されていない部位の有機半導体層を除去する方法が用いられる。ここで、本発明において真空紫外光とは、波長が１０ｎｍ〜２００ｎｍの範囲内である紫外線を意味するが、本工程に用いられる真空紫外光としては、上記有機半導体層を所望の時間内に除去できる波長を有するものであれば特に限定されるものではなく、上記有機半導体層を構成する有機半導体材料の種類に応じて適切な波長の真空紫外光を用いればよい。なかでも本工程に用いられる真空紫外光は、波長が、１０ｎｍ〜２００ｎｍの範囲内であることが好ましく、特に１２６ｎｍ〜１９３ｎｍの範囲内であることが好ましく、さらに１７２ｎｍであることが好ましい。このような波長範囲の真空紫外光を用いることにより、上記有機半導体層を構成する有機半導体材料の種類に関わらず、上記有機半導体層パターニング工程において、上記有機半導体層を短時間でパターニングすることが可能になるからである。
【００３８】
本工程において、真空紫外光の照射に用いられる光源としては、例えば、エキシマランプ、低圧水銀ランプ、その他種々の光源を挙げることができる。
【００３９】
また、本工程における真空紫外光の照射量としては、本工程において上記有機半導体層を除去できる範囲内であれば特に限定されるものではなく、上記有機半導体層を構成する有機半導体材料の種類や、上記真空紫外光の波長等によって適宜調整すればよい。
【００４０】
本工程において、上記パッシベーション層および上記有機半導体層上に真空紫外光を照射する方法としては、上記パッシベーション層および上記有機半導体層上に均一な照射量で真空紫外光を照射できる方法であれば特に限定されない。このような照射方法としては、例えば、上記パッシベーション層および上記有機半導体層の全面を同時に照射する方法、および、光源または上記パッシベーション層および上記有機半導体層が形成された基板の少なくとも一方を移動させながら、上記パッシベーション層および上記有機半導体層の全面を順次に照射する方法を挙げることができる。なかでも本工程においては後者の方法を用いることが好ましい。その理由は次の通りである。
すなわち、真空紫外光は指向性のない分散光であるため、上記パッシベーション層および上記有機半導体層の全面を同時に照射する方法では、例えば、大面積の上記パッシベーション層および上記有機半導体層に真空紫外光を照射する場合に、中央部と端部とで真空紫外光の照射量に差が生じてしまう可能性がある。しかしながら、上記パッシベーション層および上記有機半導体層の全面を順次に照射する方法によれば、たとえ大面積の上記パッシベーション層および上記有機半導体層に真空紫外光を照射する場合であっても、全面に対して均一に真空紫外光を照射することが容易になるからである。
【００４１】
また本工程においては、上記順次に照射する方法のなかでも、上記パッシベーション層および上記有機半導体層が形成された基板を固定し、上記光源を移動させながら照射する方法を用いることが好ましい。このような方法によれば、大面積の上記パッシベーション層および上記有機半導体層に均一に真空紫外光を照射することが容易になるからである。
【００４２】
なお、本工程に用いられる真空紫外光の光源は、１つであってもよく、または、複数個を用いてもよい。また、複数個の光源を用いる場合において、本工程における真空紫外光の照射方法として光源を移動させながら照射する方法を用いる場合は、複数個の光源を同時に移動させてもよく、または、個別に移動させてもよい。
【００４３】
（３）有機半導体層形成工程
次に、本工程に用いられる有機半導体層形成工程について説明する。本工程は、基板を用い、上記基板上に有機半導体材料からなる有機半導体層を形成する工程である。
【００４４】
ａ．有機半導体層の形成方法
本工程において、上記基板上に有機半導体層を形成する方法としては、本工程に用いられる有機半導体材料の種類等に応じて、上記基板上に所望の厚みの有機半導体層を形成できる方法であれば特に限定されるものではない。このような方法としては、例えば、上記有機半導体材料が溶媒に可溶なものである場合は、当該有機半導体材料を溶媒に溶解して、有機半導体層形成用塗工液を調製した後、当該有機半導体層形成用塗工液を上記基板上に塗工する方法を挙げることができる。この場合の塗工方法としては、例えば、スピンコート法、ダイコート法、ロールコート法、バーコート法、ＬＢ法、ディップコート法、スプレーコート法、ブレードコート法、およびキャスト法等を挙げることができる。
一方、上記有機半導体材料が溶媒に不溶なものである場合は、例えば、真空蒸着法等のドライプロセスにより、上記基板上に有機半導体層を形成する方法を挙げることができる。
【００４５】
本工程に用いられる有機半導体材料としては、本発明により製造される有機半導体素子の用途等に応じて、本工程により形成される有機半導体層に所望の半導体特性を付与できるものであれば特に限定されるものではない。例えば、π電子共役系の芳香族化合物、鎖式化合物、有機顔料、有機ケイ素化合物等を挙げることができる。より具体的には、ペンタセン等の低分子系有機半導体材料、および、ポリピロール、ポリ（Ｎ−置換ピロール）、ポリ（３−置換ピロール）、ポリ（３，４−二置換ピロール）等のポリピロール類、ポリチオフェン、ポリ（３−置換チオフェン）、ポリ（３，４−二置換チオフェン）、ポリベンゾチオフェン等のポリチオフェン類、ポリイソチアナフテン等のポリイソチアナフテン類、ポリチェニレンビニレン等のポリチェニレンビニレン類、ポリ（ｐ−フェニレンビニレン）等のポリ（ｐ−フェニレンビニレン）類、ポリアニリン、ポリ（Ｎ−置換アニリン）等のポリアニリン類、ポリアセチレン等のポリアセチレン類、ポリジアセチレン、ポリアズレン等のポリアズレン類等の高分子系有機半導体材料を挙げることができる。なかでも本工程においては、ペンタセンまたはポリチオフェン類を好適に用いることができる。
【００４６】
ｂ．基板
本工程に用いられる基板としては、本発明により製造される有機半導体素子の用途等に応じて任意の機能を有する基板を用いることができる。このような基板としては、ガラス基板等の可撓性を有さないリジット基板であってもよく、または、プラスチック樹脂からなるフィルム等の可撓性を有するフレキシブル基板であってもよい。本工程においては、このようなリジット基板およびフレキシブル基板のいずれであっても好適に用いられるが、なかでもフレキシブル基板を用いることが好ましい。このようなフレキシブル基板を用いることにより、本発明の有機半導体素子の製造方法をＲｏｌｌ  ｔｏ  Ｒｏｌｌプロセスにすることが可能になるため、本発明によって、より高い生産性で有機半導体素子を製造することが可能になるからである。
【００４７】
本工程に用いられる上記プラスチック樹脂としては、例えば、ＰＥＴ、ＰＥＮ、ＰＥＳ、ＰＩ、ＰＥＥＫ、ＰＣ、ＰＰＳおよびＰＥＩ等を挙げることができる。
【００４８】
また、本工程に用いられる基板の厚みは、通常、１ｍｍ以下であることが好ましく、なかでも５０μｍ〜７００μｍの範囲内であることが好ましい。
【００４９】
ｃ．有機半導体層
本工程により形成される有機半導体層の厚みとしては、上記有機半導体材料の種類等に応じて所望の半導体特性を備える有機半導体層を形成できる範囲であれば特に限定されない。なかでも本工程においては１０００ｎｍ以下であることが好ましく、なかでも５ｎｍ〜３００ｎｍの範囲内であることが好ましく、特に２０ｎｍ〜１００ｎｍの範囲内であることが好ましい。
【００５０】
（４）その他の工程
本工程には、上記パッシベーション層形成工程、上記有機半導体層形成工程、および、上記有機半導体層パターニング工程以外の他の工程が含まれていてもよい。このような他の工程としては特に限定されるものではなく、本工程により形成される有機半導体トランジスタの構造等に応じて任意の工程を用いることができる。なかでも本工程においては、通常、ゲート電極を形成するゲート電極形成工程と、ゲート絶縁層を形成するゲート絶縁層形成工程と、ソース電極およびドレイン電極を形成するソース・ドレイン電極形成工程とが用いられる。
【００５１】
本工程が、上記ゲート電極形成工程と、上記ゲート絶縁層形成工程と、上記ソース・ドレイン電極形成工程とを有する場合について図を参照しながら説明する。図２は、本工程に、上記ゲート電極形成工程と、上記ゲート絶縁層形成工程と、上記ソース・ドレイン電極形成工程とが用いられる場合の一例を示す概略図である。図２に例示するように、本工程は、通常、基板１０を用い（図２（ａ））、上記基板１０上に、ゲート電極２３を形成するゲート電極形成工程と（図２（ｂ））、上記ゲート電極２３を覆うようにゲート絶縁層２４を形成する、ゲート絶縁層形成工程（図２（ｃ））と、上記ゲート絶縁層２４および上記基板１０上に、上述した方法によって有機半導体層２１’を形成する有機半導体層形成工程（図２（ｄ））と、上記有機半導体層２１’上で対向するように、ソース電極２５およびドレイン電極２６を形成するソース・ドレイン電極形成工程（図２（ｅ））と、上記有機半導体層２１’、ソース電極２５、および、ドレイン電極２６上に、上述した方法によってパターン状のパッシベーション層２２を形成するパッシベーション層形成工程（図２（ｆ））と、上記パッシベーション層２２が形成されていない部位の上記有機半導体層２１’を上述した方法によりエッチングする有機半導体層パターニング工程（図２（ｇ））とにより、有機半導体トランジスタ２０を形成する態様で用いられる。
【００５２】
なお、上記図２においては、本工程によりボトムゲート・トップコンタクト構造を有する有機半導体トランジスタを形成する例について説明したが、本工程において上記ゲート電極形成工程、上記ゲート絶縁層形成工程、および、上記ソース・ドレイン電極形成工程を用いる態様は、このような態様に限定されるものではない。したがって、本工程において、上記ゲート電極形成工程、上記ゲート絶縁層形成工程、および、上記ソース・ドレイン電極形成工程を用いる態様としては、ボトムゲート・ボトムコンタクト構造を有する有機半導体トランジスタを形成するように用いられる態様であってもよく、トップゲート・トップコンタクト構造を有する有機半導体トランジスタを形成するように用いられる態様であってもよく、さらには、トップゲート・ボトムコンタクト構造を有する有機半導体トランジスタを形成するように用いられる態様であってもよい。
【００５３】
ここで、上記ゲート電極形成工程、上記ゲート絶縁層形成工程、および、上記ソース・ドレイン電極形成工程が、ボトムゲート・ボトムコンタクト構造を有する有機半導体トランジスタを形成するように用いられる態様では、本工程は、ゲート電極形成工程、ゲート絶縁層形成工程、ソース・ドレイン電極形成工程、有機半導体層形成工程、パッシベーション層形成工程、有機半導体層パターニング工程の順に実施されることになる。
また、上記ゲート電極形成工程、上記ゲート絶縁層形成工程、および、上記ソース・ドレイン電極形成工程がトップゲート・トップコンタクト構造を有する有機半導体トランジスタを形成するように用いられる態様では、本工程は、有機半導体層形成工程、ソース・ドレイン電極形成工程、ゲート絶縁層形成工程、ゲート電極形成工程、パッシベーション層形成工程、および、有機半導体層パターニング工程の順に実施されることになる。
さらに、上記ゲート電極形成工程、上記ゲート絶縁層形成工程、および、上記ソース・ドレイン電極形成工程がトップゲート・ボトムコンタクト構造を有する有機半導体トランジスタを形成するように用いられる態様では、本工程は、ソース・ドレイン電極形成工程、有機半導体層形成工程、ゲート絶縁層形成工程、ゲート電極形成工程、パッシベーション層形成工程、および、有機半導体層パターニング工程の順に実施されることになる。
【００５４】
なお、本工程に用いられる上記ゲート電極形成工程と、上記ゲート絶縁層形成工程と、上記ソース・ドレイン電極形成工程において、ゲート電極、ゲート絶縁層、ソース電極およびドレイン電極をそれぞれ形成する方法としては、一般的に半導体トランジスタを形成する際に用いられている方法と同様であるため、ここでの詳しい説明は省略する。
【００５５】
（５）有機半導体トランジスタ
本工程により形成される有機半導体トランジスタは、少なくとも上記有機半導体層および上記パッシベーション層を有するものであるが、通常は、上記有機半導体層および上記パッシベーション層以外に、ゲート電極、ソース電極、ドレイン電極、および、ゲート絶縁層が用いられることにより、トランジスタとしての機能を発現するものである。
【００５６】
ここで、本工程より形成される有機半導体トランジスタの構造としては、上記有機半導体層および上記パッシベーション層が用いられた構造であれば特に限定されるものではなく、一般的に公知の薄膜トランジスタ構造を採用することができる。このような有機半導体トランジスタの構造としては、例えば、ボトムゲート型構造およびトップゲート型構造を挙げることができる。
【００５７】
本工程より形成される有機半導体トランジスタが、ボトムゲート型構造を有する場合について図を参照しながら説明する。図３は、本工程により形成される有機半導体トランジスタが、ボトムゲート型構造を有する態様の一例を示す概略図である。図３に例示するように、本工程により形成される有機半導体トランジスタ２０、２０’は、基板１０上に形成されたゲート電極２３と、上記ゲート電極２３を覆うように形成されたゲート絶縁層２４と、上記ゲート絶縁層２４および上記基板１０上に形成された有機半導体層２１と、上記有機半導体層２１に接するように形成されたソース電極２５、ドレイン電極２６と、上記有機半導体層２１を覆うように形成されたパッシベーション層２２を有する、ボトムゲート型構造を有するものであってもよい。
また、このようなボトムゲート型構造としては、ソース電極２５およびドレイン電極２６が上記有機半導体層２１の上面に配置されているボトムゲート・トップコンタクト型構造であってもよく（図３（ａ））、または、ソース電極２５およびドレイン電極２６が上記有機半導体層２１の下面に配置されているボトムゲート・ボトムコンタクト型構造であってもよい（図３（ｂ））。
【００５８】
次いで、本工程により形成される有機半導体トランジスタが、トップゲート型構造を有する場合について図を参照しながら説明する。図４は、本工程により形成される有機半導体トランジスタがトップゲート構造を有する態様の一例を示す概略図である。図４に例示するように、本工程により形成される有機半導体トランジスタ２０’’，２０’’’は、基板１０上に形成された有機半導体層２１と、上記有機半導体層２１に接するように形成されたソース電極２５、ドレイン電極２６と、上記有機半導体層２１上に形成されたゲート絶縁層２４と、上記ゲート絶縁層２４上に形成されたゲート電極２３と、上記ゲート電極２３およびゲート絶縁層２４を覆うように形成されたパッシベーション層２２とを有する、トップゲート型構造であってもよい。
また、このようなトップゲート構造としては、ソース電極２５およびドレイン電極２６が上記有機半導体層２１の上面に配置されているトップゲート・トップコンタクト型構造であってもよく（図４（ａ））、または、ソース電極２５およびドレイン電極２６が上記有機半導体層２１の下面に配置されているトップゲート・ボトムコンタクト型構造であってもよい（図４（ｂ））。
【００５９】
２．その他の工程
本発明の有機半導体素子の製造方法は、上記有機半導体トランジスタ形成工程以外に他の工程を有するものであってもよい。このような他の工程としては、特に限定されるものではなく、本発明により製造される有機半導体素子の用途等に応じて適宜選択して用いればよい。このような他の工程としては、例えば、本発明の有機半導体素子を液晶ディスプレイ装置用のＴＦＴアレイ基板として用いる場合には、上記有機半導体トランジスタに接続されるように画素電極を形成する画素電極形成工程等を挙げることができる。
【００６０】
３．有機半導体素子
本発明により製造される有機半導体素子は、本発明の有機半導体素子は、有機半導体材料からなる有機半導体層および上記有機半導体層上に形成されたパッシベーション層を備える有機半導体トランジスタが、基板上に複数形成されたものとなる。
このような有機半導体素子において、上記基板上に上記有機半導体トランジスタが形成されている態様としては、特に限定されるものではなく本発明の有機半導体素子の用途等に応じて所望の態様で配置することができる。
【００６１】
本発明により製造される有機半導体素子の用途としては、例えば、ＴＦＴ方式を用いるディスプレイ装置のＴＦＴアレイ基板として用いることができる。このようなディスプレイ装置としては例えば、液晶ディスプレイ装置、電気泳動ディスプレイ装置、および有機ＥＬディスプレイ装置等を挙げることができる。
【００６２】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００６３】
以下、実施例を挙げて本発明を具体的に説明する。
【００６４】
１．実施例
（ゲート電極形成工程）
まず、大きさ１００ｍｍ×１００ｍｍ×０．７ｍｍのＣr付きガラス基板（Ｃr膜厚３００ｎｍ）表面に、ゲート電極形状の開口部を有するスクリーンマスクを配置した後、エッチングペースト（関西ペイント社製）をスクリーン印刷した。次いで、１００℃、５ｍｉｎのホットプレート上に上記印刷基板を置きレジストを硬化させた。次いで、Ｃｒエッチング液にてパターン部以外のＣｒをエッチングし、その後５％ＮａＯＨ溶液にてレジストを剥離した。次いで、超音波洗浄機を用い純水で上記基板を洗浄した。
【００６５】
（ゲート絶縁層形成工程）
次に、上記基板にゲート絶縁層としてフォトレジスト（アクリル系ネガレジスト）をスピンコートした。このときのスピンコートは、８００ｒｐｍで１０ｓｅｃ保持させた。その後、基板を１２０℃で２分乾燥させた後、３５０ｍＪ／ｃｍ２でパターン露光した。
次に、ゲート電極以外の部分を除去するために現像工程を行い、その後、２００℃のオーブンで３０分乾燥させた。
【００６６】
（ソース・ドレイン電極形成工程）
上記ゲート絶縁層形成後の基板表面に、ソース・ドレイン電極形状の開口部を有するメタルマスクを配置した後、膜厚５０ｎｍのＡｕ膜を蒸着し、ソース・ドレイン電極を形成した。このとき、蒸着の際の真空度は１×１０４Ｐａとし、蒸着速度は約１Å／ｓｅｃとした。形成されたソース電極およびドレイン電極を反射型光学顕微鏡にて観察したところ、ソース電極とドレイン電極との電極間距離（チャネル長）は５０μｍであった。
【００６７】
（有機半導体層形成工程）
次に、上記ソース電極およびドレイン電極が形成された基板にスピンコート法を用い高分子有機半導体をコーティングした。高分子有機半導体は固形分０．２ｗｔ％、溶剤ジクロロベンゼンを含む溶液を用いた。その後、上記基板を２００℃まで２０℃／ｍｉｎのレートで徐々に加温していき、２００℃で１０ｍｉｎ保持した後、６℃／ｍｉｎのレートで室温まで徐冷を行った。
【００６８】
（パッシベーション層形成工程）
次に、遮光性樹脂材料としてＰＶＰを用い、当該ＰＶＰに架橋剤を混合し、ヘキサノール溶媒に固形分３０質量％で溶解したパッシベーション層形成用塗工液を作製した。次いでスクリーン印刷法によりパターン状のパッシベーション層を形成した。このときスクリーン版は、５００メッシュ、乳剤１μｍのものを使用した。スクリーン印刷機はマイクロテック社製の装置を用いた。また印刷条件は、印圧０．２ＭＰａ、クリアランス２．６ｍｍ、スキージスピード１００ｍｍ／ｓｅｃで行った。その後、２００℃まで２０℃／ｍｉｎのレートで徐々に加温していき、２００℃で１０ｍｉｎ保持した後、６℃／ｍｉｎのレートで室温まで徐冷を行った。
【００６９】
（有機半導体層パターニング工程）
次に、真空紫外光（１７２ｎｍ、照度１１ｍｗ／ｃｍ２）を基板全面に照射した。このときＧａｐを０．７ｍｍ、照射時間を６０ｓとした。照射後はパッシベーション層が真空紫外光を吸収する為、パッシベーション層がパターニングされていない部分にある有機半導体層は除去され、パッシベーション層がパターニングされた部分にのみ有機半導体層が残っていることが確認された。
【００７０】
（評価）
作製した有機半導体素子の有機半導体トランジスタのトランジスタ特性を測定した結果、トランジスタとして駆動していることが分かった。このとき、有機半導体トランジスタのＯＮ電流は１×１０−５Ａ、ＯＦＦ電流は３．５×１０−１１Ａであった。ＯＮ／ＯＦＦ比６桁であり、閾値電圧は１０Ｖであった。測定条件はゲート電圧を１００Ｖ〜−８０Ｖまで−２Ｖ刻みで印加した。次いでソース・ドレイン電圧を−８０Ｖと固定し、ソース・ドレイン間に流れる電流値を測定した。また、トランジスタ評価においてはいずれの場合においても大気中、遮光下で測定を行った。
【００７１】
２．比較例
上記遮光性樹脂材料としてフッ素系樹脂を用いたこと以外は、実施例と同様の方法により有機半導体トランジスタを有する有機半導体素子を作製した。
【００７２】
（評価）
作製した有機半導体素子の有機半導体トランジスタのトランジスタ特性を測定した結果、トランジスタとして駆動しないことが確認された。測定条件はゲート電圧を１００Ｖ〜−８０Ｖまで−２Ｖ刻みで印加した。次いでソース・ドレイン電圧を−８０Ｖと固定し、ソース・ドレイン間に流れる電流値を測定した。また、トランジスタ評価においてはいずれの場合においても大気中、遮光下で測定を行った。
なお、有機半導体トランジスタがトランジスタとして駆動しなかった原因は、フッ素系樹脂をパッシベーション層として用いた場合、真空紫外光を透過し、パッシベーション層下部にある有機半導体層が除去されたことによると考えられる。
【図面の簡単な説明】
【００７３】
【図１】本発明の有機半導体素子の製造方法の一例を示す概略図である。
【図２】本発明の有機半導体素子の製造方法の他の例を示す概略図である。
【図３】本発明により製造される有機半導体素子が有する有機半導体トランジスタの一例を示す概略図である。
【図４】本発明により製造される有機半導体素子が有する有機半導体トランジスタの他の例を示す概略図である。
【符号の説明】
【００７４】
１  …  有機半導体素子
１０  …  基板
２０，２０’，２０’’，２０’’’  …  有機半導体トランジスタ
２１  …  有機半導体層
２２  …  パッシベーション層
２３  …  ゲート電極
２４  …  ゲート絶縁層
２５  …  ソース電極
２６  …  ドレイン電極
【図１】
2008084940.tif 000003
【図２】
2008084940.tif 000004
【図３】
2008084940.tif 000005
【図４】
2008084940.tif 000006